(57)【特許請求の範囲】
【請求項１】
電波の送信又は受信に利用されるアンテナと、
第１の面を開口部とするよう形成された金属ケースと、
前記第１の面側に配置された前記電波の遮蔽物と、を有して構成され、
前記金属ケースは、前記第１の面に連接する第２の面において前記第１の面側の端部に切り欠き部を有し、
前記遮蔽物は少なくとも一部が前記切り欠き部の奧端部よりも前記第１の面側にあり、かつ前記第１の面に対向する金属ドアであり、
前記第１の面と前記第２の面とに連接する第３の面を平面視したときに、前記アンテナは、前記遮蔽物の前記奥端部から最も離れた前記第１の面側の端面における前記第２の面側の隅部と前記奧端部とを結ぶ仮想線分よりも外方に位置している電子機器。
【請求項２】
前記金属ケース内に収容された金属の外装を有する電子ブロックとを含み、
前記第３の面を平面視したときに、前記アンテナは、前記電子ブロックにおける前記第１の面側の端面の前記第２の面側の隅部と、前記金属ドアにおける前記第２の面側の隅部とのうち、より前記第２の面に近い方の隅部と、前記奧端部とを結ぶ仮想線分よりも外方に位置している請求項１に記載の電子機器。
【請求項３】
前記アンテナは基板にプリントされた配線パターンとして形成されており、
前記基板は、前記配線パターンが前記切り欠き部内に露出するように前記金属ケースに取り付けられていることを特徴とする請求項１から２のいずれか１項に記載の電子機器。
【請求項４】
前記配線パターンは、前記アンテナにより送信又は受信する電波の中心周波数の波長λに対し、奥行き方向に長さがλ／４で間隔がλ／６の平行配線と、この平行配線を前記奥行き方向の端部で接続する端部配線と、前記平行配線に給電する給電配線と、を有していることを特徴とする請求項３に記載の電子機器。
【請求項５】
前記アンテナは、前記金属ケースにおける前記第２の面及び前記第２の面に対向する第４の面にそれぞれ配置されていることを特徴とする請求項１〜４のいずれか１項に記載の電子機器。
【請求項６】
前記電子ブロックは、ディスク状記録媒体の挿入口を有するディスクドライブユニットであり、前記挿入口が前記開口部の長辺に沿う方向となるよう配置されていることを特徴とする請求項２に記載の電子機器。
【請求項７】
金属ケースと電波の遮蔽物とを持つ電子機器におけるアンテナ基板の配設構造であって、前記金属ケースは第１の面を開口部とするよう形成されており、
前記金属ケースは、前記第１の面に連接する第２の面において前記第１の面側の端部に切り欠き部を有しており、
前記遮蔽物は少なくとも一部が前記切り欠き部の奧端部よりも前記第１の面側に位置し、かつ前記第１の面に対向する金属ドアであり、
前記第１の面と前記第２の面とに連接する第３の面を平面視したときに、前記アンテナは、前記遮蔽物の前記奥端部から最も離れた前記第１の面側の端面における前記第２の面側の隅部と前記奧端部とを結ぶ仮想線分よりも外方に位置するように配置されたことを特徴とするアンテナ基板の配設構造。
【発明の詳細な説明】
【技術分野】
【０００１】
本発明は、電子機器及びアンテナの配設構造に関する。
【背景技術】
【０００２】
サーバから端末に向けてのコンテンツ配信や端末からサーバに向けてのコンテンツ選択情報送信をネットワーク経由で行えるようになってきている。
配信されるコンテンツとして、映像，音楽，これらを含む放送番組などがある。
ネットワークに接続する端末として家庭用のオーディオ・ビジュアル機器（以下、ＡＶ機器）〕に無線通信機能を持たせることが検討されている。
具体的には、例えばＢｌｕｅｔｏｏｔｈ（登録商標）や無線ＬＡＮのような所定の無線通信方式に対応した無線送受信機(以下、単に無線機と称する)をＡＶ機器に内蔵して、あるいは外的に付加し、無線機によってＡＶ機器をネットワークに接続させる。
【０００３】
特許文献１には、無線通信が可能な電子機器であって、そのアンテナ配設構造として、ハードディクス駆動装置から外れた領域に張り出したプリント配線板を有し、筐体内の端部に位置するプリント配線板の一端部で筐体内の厚み方向の中間部に、アンテナを実装する構造が開示されている。
特許文献２には、電子機器を情報処理装置として、表示面の背面が金属筐体で覆われており、金属筐体の一部に設けた切り欠き部内にアンテナ部材を設ける構造が開示されている。
特許文献３には、電子機器を情報処理装置として、メモリーカード用スロットの開口部の内側近傍にアンテナを配設する構造が開示されている。
【先行技術文献】
【特許文献】
【０００４】
【特許文献１】特許第３７６２３１７号
【特許文献２】特開２００２−３２１５０号公報
【特許文献３】特開２００５−７５３０１号公報
【発明の概要】
【発明が解決しようとする課題】
【０００５】
ところで、電子機器が無線機を備える場合、電子機器がポータブル機器であれば、電波の受信強度等の送受信状況を電子機器の姿勢を変えることにより比較的容易に改善できる。すなわち、電波の送受信状況についてアンテナの内蔵位置が大きく影響する可能性は低い。
しかしながら、無線機能を有する電子機器が据え置き型のＡＶ機器であって室内の定位置に設置される場合、電波の送受信状態を改善するために電子機器の姿勢を変えることは難しい。
従って、設置状態によらず可能な限り電波を良好に送受信できるように無線機におけるアンテナの配置態様を決定する必要がある。
【０００６】
本発明は、このような背景からなされたものであり、良好な電波の送受信を行うことができるアンテナ配設構造及び電子機器を提供することを目的とする。
【課題を解決するための手段】
【０００７】
上記の課題を解決するために、本発明は手段として次の（１）〜（７）の構成を有する。
（１）電波の送信又は受信に利用されるアンテナ６、６６と、
第１の面を開口部とするよう形成された金属ケース２と、
前記第１の面側に配置された前記電波の遮蔽物４、１５と、を有して構成され、
前記金属ケース２は、前記第１の面に連接する第２の面において前記第１の面側の端部に切り欠き部５を有し、
前記遮蔽物は少なくとも一部が前記切り欠き部の奧端部７よりも前記第１の面側に位置しかつ前記第１の面に対向する金属ドア１５であり、
前記第１の面と前記第２の面とに連接する第３の面を平面視したときに、前記アンテナ１
は、前記遮蔽物の前記奥端部から最も離れた前記第１の面側の端面４ｚｔ、１５における
前記第２の面側の隅部４ｍｔ、１５ｍｔと前記奧端部とを結ぶ仮想線分Ｌよりも外方に位
置している電子機器である。
（２）前記金属ケース２内に収容された金属の外装４ｋを有する電子ブロック４を含み、
前記第１の面と前記第２の面とに連接する第３の面を平面視したときに、前記アンテナは、前記電子ブロックにおける前記第１の面側の端面の前記第２の面側の隅部と、前記金属ドアにおける前記第２の面側の隅部とのうち、より前記第２の面に近い方の隅部と、前記奧端部とを結ぶ仮想線分よりも外方に位置している（１）に記載の電子機器である。
（３）前記アンテナは基板６、６６にプリントされた配線パターン６ａ、６６ａとして形成されており、
前記基板は、前記配線パターンが前記切り欠き部内に露出するように前記金属ケースに取り付けられていることを特徴とする（１）から（２）のいずれかに記載の電子機器である。
（４）前記配線パターンは、前記アンテナにより送信又は受信する電波の中心周波数の波長λに対し、奥行き方向に長さがλ／４で間隔がλ／６の平行配線と、この平行配線を前記奥行き方向の端部で接続する端部配線と、前記平行配線に給電する給電配線と、を有していることを特徴とする（３）に記載の電子機器である。
（５）前記アンテナは、前記金属ケースにおける前記第２の面及び前記第２の面に対向する第４の面にそれぞれ配置されていることを特徴とする（１）〜（４）のいずれかに記載の電子機器である。
（６）前記電子ブロックは、ディスク状記憶媒体の挿入口を有するディスクドライブユニット４であり、前記挿入口が前記開口部の長辺に沿う方向となるよう配置されていることを特徴とする（２）に記載の電子機器である。
（７）金属ケースと電波の遮蔽物とを持つ電子機器におけるアンテナ基板の配設構造であって、
前記金属ケースは第１の面を開口部とするよう形成されており、
前記金属ケースは、前記第１の面に連接する第２の面において前記第１の面側の端部に切り欠き部５を有しており、
前記遮蔽物は少なくとも一部が前記切り欠き部の奧端部７よりも前記第１の面側にありかつ前記第１の面に対向する金属ドア１５であり、
前記第１の面と前記第２の面とに連接する第３の面を平面視したときに、前記アンテナは、前記遮蔽物の前記奥端部から最も離れた前記第１の面側の端面４ｚｔ、１５における前記第２の面側の隅部４ｍｔ、１５ｍｔと前記奧端部とを結ぶ仮想線分よりも外方に位置するように配置されたことを特徴とするアンテナ基板の配設構造である。
【発明の効果】
【０００８】
本発明によれば、良好な電波の送受信を行うことができるアンテナ配設構造及び電子機器を提供することができる。
【図面の簡単な説明】
【０００９】
【図１】本発明の実施例に係る電子機器の構造を示す分解斜視図である。
【図２】図１に示す電子機器において金属ケースを閉じた状態を示す斜視図である。
【図３】図１に示す電子機器を組み立てた完成状態の外観斜視図である。
【図４】ディスクドライブユニットの外観を表す図である。
【図５】図１に示すアンテナ基板およびその配線パターンの一例を説明する図である。
【図６】図１から図３に示す電子機器ＤＫにおけるアンテナエレメントの位置とアンテナ感度を説明する図である。
【図７】図６に示す説明図の一部を拡大した図である。
【図８】図５に示すアンテナ基板をフロントパネルおよび金属ケースに取り付ける構造の一例を説明する図である。
【図９】図５に示すアンテナ基板を金属ケースに取り付ける別の構造を説明する図である。
【図１０】図９に示す取り付け構造を用いる場合の側板の構造例を示す図である。
【図１１】図９に示す取り付け構造を用いる場合の側板の別の構造例を示す図である。
【図１２】図５に示すアンテナ基板のさらに別の取り付け構造を示す図である。
【図１３】図５に示すアンテナ基板のさらに別の取り付け構造を示す図である。
【図１４】変形例のアンテナ基板及びアンテナ基板を保持した基板ホルダを説明する図である。
【図１５】図１２に示すアンテナ基板及びアンテナ基板を保持した基板ホルダを説明する模式図である。
【図１６】変形例の化粧側板，天板，及び上ケースを外した状態を示す斜視である。
【図１７】図１６に示す状態に対して上ケースを取り付けた状態を示す図である。
【図１８】実施例の電子機器ＤＫに内蔵されたディスクドライブユニット４の配置について説明する図である。
【図１９】変形例の電子機器ＤＫが金属ドア１５を有する場合における配線パターン６６ａと金属ドア１５との天地方向の位置関係を示す説明図である。。
【図２０】変形例の電子機器ＤＫがディスクドライブユニット４を有する場合における配線パターン６６ａとディスクドライブユニット４との天地方向のよりよい位置関係を示す説明図である
【図２１】変形例の電子機器ＤＫが金属ドア１５を有する場合における配線パターン６６ａと金属ドア１５との天地方向の位置関係を示す説明図である。
【図２２】変形例の電子機器ＤＫが金属ドア１５を有する場合における配線パターン６６ａと金属ドア１５との天地方向のよりよい位置関係を示す説明図である。
【発明を実施するための形態】
【００１０】
本発明の実施の形態について、以下、図面を参照して説明する。
［全体構成］
【００１１】
図１〜図３を用いて、本発明の電子機器の実施例について説明する。この実施例は、ディスク駆動装置を備えた電子機器ＤＫである。
図１は、電子機器ＤＫの分解斜視図である。図２は、図１に示す電子機器ＤＫのケース２を組み立てた状態の斜視図である。図２では、図１に示す化粧側板１２、１３および天板１４を装着していない。図３は、図１に示す機器を化粧側板１２、１３および天板１４を装着して組み立てた状態の、すなわち電子機器ＤＫの外観斜視図である。
【００１２】
電子機器ＤＫは、電波の送信と受信との少なくとも一方を行って無線通信をするための回路を有する無線部１を備えている。無線通信方式は例えば無線ＬＡＮ（IEEE802.11b/g/n）である。
【００１３】
電子機器ＤＫは、設置状態で天地方向が薄い扁平の六面体形状を呈し、概ね天地方向に２分された上ケース２ａと下ケース２ｂとからなるケース２を筐体として備えている。
上ケース２ａは、天板２ａｔと右側板２ａｍと左側板２ａｈを有して左右方向断面で略コ字状となるよう金属材で形成されている。
下ケース２ｂは、底板２ｂｂと、底板２ｂｂの右縁部から上方に向け立ち上がる右フランジ２ｂｍと、底板２ｂｂの左縁部から上方に向け立ち上がる左フランジ２ｂｈと、底板２ｂｂの後縁部から上方に向け立ち上がる背板２ｂｓと、を有し、金属材で形成されている。
【００１４】
電子機器ＤＫは、上ケース２ａと下ケース２ｂとが組み合わされた状態で、前方側が開放されている。すなわち、ケース２は、その前方側に、上ケース２ａと下ケース２ｂとの前方側縁部によって形成される開口部３を有している。
無線部１は、ケース２内に納められている。
【００１５】
電子機器ＤＫでは、ケース２内に、ケース２とは別体のブロックとして金属の筐体を有するディスクドライブユニット４が収められている。
図４は、ディスクドライブユニット４の外観斜視図である。
ディスクドライブユニット４は金属の筐体４ｋを有しており、その前面に挿入口４ａを有している。
ディスクドライブユニット４はケース２内の、左右方向が電子機器ＤＫのほぼ中央であって、前方側に寄せた位置に収められている。
ディスクドライブユニット４の筐体４ｋにおける前方側の端面４ｚｔは、フロントパネル１１に当接、又は接近した位置にある。
【００１６】
ディスクドライブユニット４は、Ｂｌｕ−ｒａｙ Ｄｉｓｃ（登録商標），ＤＶＤなどのディスク状記録媒体（以下、単にディスクとも称する）を駆動し、ディスクに対し再生動作または記録動作を行う。
ディスクドライブユニット４は、ケース２の開口部３から臨める位置にディスクを外部から挿抜するための挿入口４ａを有している。
挿入口４ａは、その長手方向が電子機器ＤＫの長手方向（左右方向）に沿うように設けられている。
ディスクドライブユニット４は、ケース２内に収められた外面部が金属材で形成された電子機器のブロック（電子ブロックとも称する）の一例として説明するものであり、電子ブロックはディスクドライブユニットに限定されるものではない。
電子ブロックには例えば、ハードディスクドライブユニットやチューナユニット、シールドされた基板ユニットなども含まれる。
【００１７】
上ケース２ａ及び下ケース２ｂの前方側にはフロントパネル１１が取り付けられている。開口部３はフロントパネル１１により塞がれている。
フロントパネル１１は、非金属部材としての樹脂材で形成されており、挿入口４ａに対応した位置で挿入口４ａを含む領域に開口部１１ａが形成されている。
【００１８】
フロントパネル１１の中央部分には、開口部１１ａを塞ぐように左右方向を長手とする概ね長方形のドア１５を設けてもよい。図１〜図３はドア１５を設けた状態を示している。以下、ドア１５を設けた場合について説明する。
ドア１５は、アルミニウム材で形成されている。
ドア１５は、図２に示す位置（フロントパネル１１の中央位置）を標準位置とし、この標準位置と、ドア１５の下端がフロントパネル１１の下端よりも下方となる位置であるディスク挿抜位置との間で往復移動が可能とされている。
ドア１５が標準位置にあるとき開口部１１ａはドア１５で塞がれている。
ドア１５がディスク挿抜位置にあるとき開口部１１ａは外部に露出し、ディスクドライブユニット４へのディスクの挿抜ができるようになっている。
ドア１５の標準位置とディスク挿抜位置との間の移動は、図示しないドア駆動機構等により制御される。
【００１９】
ドア１５は、その左端部１５ｈｔ及び右端部１５ｍｔが、それぞれディスクドライブユニット４の左端部４ｈｔ及び右端部４ｍｔ（図４参照）よりも左右方向で外側に位置する大きさで形成されている。
ドア１５を有さない場合は、非金属部材で形成されたドア（図示せず）を設けてもよく、ドアを設けず開口部１１ａを露出させてもよい。
【００２０】
図１に示すように、上ケース２ａの右側板２ａｍには、フロントパネル１１側から後方に向けて切り込まれた切り欠き５が設けられている。切り欠き５は左側板２ａｈにも同様に設けられている。切り欠き５の端辺７はディスクドライブユニット４の筐体４ｋにおける前方側の端面４ｚｔよりも奥行き方向で奥側にある。
上ケース２ａの天板２ａｔには、開口部１１ａ及び右側板２ａｍに寄せて切り欠き８が設けられている。
【００２１】
電子機器ＤＫは、無線部１のアンテナとして、アンテナエレメントが配線パターンとして形成されたアンテナ基板６を、筐体（ケース２）の左右の側部に一つずつ有する。すなわち、電子機器ＤＫはアンテナエレメントを一対有する。無線部１は、ダイバーシティにより、一対のアンテナエレメントのうちの良好な方を優先的に選択してもよい。
ここで、アンテナ基板６について詳述する。
【００２２】
［アンテナ基板］
図５は、アンテナ基板６の一例を説明する図である。ここでは、配線パターンをいわゆる「フォークヘンテナ」と呼ばれるアンテナエレメントとした例を示す。
【００２３】
アンテナ基板６には配線パターン６ａが形成されている。
配線パターン６ａは平行配線３１、３２と、平行配線３１、３２を図５の紙面では左右方向である奥行き方向の端部で接続する端部配線３３と、平行配線３１、３２に給電する給電配線３４とを有する。
【００２４】
給電配線３４は同軸ケーブルを接続するための接続端子３５を有する。
配線パターン６ａによるアンテナエレメントは、特定の方向に際だって大きい指向性を示すものではないが、平行配線３１、３２の開放端側（図５の左側）にやや強い指向性を示す。
【００２５】
平行配線３１、３２の奥行き方向の長さは、無線部１が送信または受信する電波の中心周波数（例えば２．４ＧＨｚ帯）の波長λに対して、λ／４である。
平行配線３１、３２の天地方向（図５の上下方向）の間隔はλ／６である。平行配線３１、３２の奥行き方向の長さ及び天地方向の間隔のλ／４及びλ／６は、完全なλ／４、λ／６に限定されるものではなく、許容誤差範囲を含む。
平行配線３１、３２の奥行き方向の長さ及び天地方向の間隔のλ／４及びλ／６からの許容誤差範囲は例えば電波の受信状況を測定し、実測から導くことができる。
【００２６】
アンテナ基板６は、固定のための孔３６を有する。
アンテナ基板６は、少なくとも配線パターン６ａが、ケース２に対して、次に説明する線分Ｌを含む基準面ＫＭよりも外側（ケース２の中心２３を含まない側）となる領域に位置するよう取り付けられている。
【００２７】
アンテナ基板６の取り付け位置について、図１、図２，図６，図７及び図８を参照して具体的に説明する。
図６は図１〜図３に示す電子機器ＤＫにおけるアンテナエレメントの位置とアンテナ感度を説明する図である。
図６は、電子機器ＤＫを天面側から見た図である。電子機器ＤＫを天面側から見たときのアンテナエレメントの位置を点ＡＴ１、図１、図８に図示される切り欠き５における後方側最奥の端辺７の位置を点２１、電子機器ＤＫの前面で内の左右方向の最も外側に位置する電波遮蔽物の位置を点２２で示している。
【００２８】
電子機器ＤＫがドア１５を有する場合には、図２に図示される金属製のドア１５における左端部１５ｈｔ，右端部１５ｍｔと、図１、図４などに示されるディスクドライブユニット４の金属の筐体４ｋにおける前方側端面の左右端辺である左端部４ｈｔ及び右端部４ｍｔとの内の左右方向外側に位置している方の端辺を天面側から見た位置が点２２となる。電子機器ＤＫがドア１５を有さない場合には、ディスクドライブユニット４の筐体４ｋにおける前方側端面の左端辺４ｈｔおよび右端辺４ｍｔを天面側から見た位置が点２２となる。
図７は図６に示す説明図の一部を拡大した図である。
【００２９】
線分Ｌは、電子機器ＤＫを天面側から見たときに、左側板２ａｈ及び右側板２ａｍの各切り欠き５における、後方側最奥の端辺７の位置（点２１）と、電波の障害部材となる金属製のドア１５における左端部１５ｈｔ，右端部１５ｍｔ（点２２）とをそれぞれ結ぶ線として仮想的に決められる。すなわち線分Ｌは左右で一対決められる。
【００３０】
基準面ＫＭは、線分Ｌを含み天地方向に延在する鉛直面として決められる。
アンテナ基板６は左側板２ａｈと右側板２ａｍとのそれぞれに、アンテナエレメントである配線パターン６ａが、基準面ＫＭよりも外側に位置するように固定されている。
図６、図７ではアンテナエレメントを便宜的に点ＡＴ１として示しているが、実際にはアンテナエレメントは所定の大きさで形成されているので、アンテナエレメント全体が基準面ＫＭよりも外側に位置するように固定されることが望ましい。
【００３１】
ケース２の開口部３は、ディスクの挿入口４ａを含む領域を除いて、非金属のフロントパネル１１により覆われる。
フロントパネル１１には、挿入口４ａを含む領域に開口部１１ａが設けられている。
切り欠き５及びアンテナ基板６を含め、ケース２の少なくとも左側面，右側面，及び上面は、それぞれ非金属の化粧板である化粧側板１３，１２，及び天板１４により覆われる。
図３において、右側面側の切り欠き５及びアンテナ基板６をアンテナ部１６とすると、アンテナ部１６は、化粧側板１２により覆われる。図３ではアンテナ部１６を破線で示す。
【００３２】
図１に示すように、ドア１５は、標準位置で、少なくとも開口部１１ａ及びディスクドライブユニット４の挿入口４ａを覆うように設けられている。
ドア１５は、標準位置で電子機器ＤＫを操作するための操作パネル（図示せず）の一部、又は全部を覆い、ディスク挿抜位置でそれらを露出するように設けてもよい。
ドア１５は、切り欠き部５の端辺７よりも前面側にある。
【００３３】
［アンテナ感度］
電子機器ＤＫは、アンテナエレメントが基準面ＫＭより外側に配置されている。
図６、７において、線分Ｌ２１は、電子機器ＤＫを天面側から見たときの、点ＡＴ１を基点とし、点２１を通る仮想線分である。線分Ｌ２２は、点ＡＴ１を基点とし、点２２を通る仮想線分である。
電子機器ＤＫは、天面側から見たときに、線分Ｌ２１に対して外方側及び線分Ｌ２２に対して外方側に良好なアンテナ感度をもっている。
【００３４】
その結果、図６に示すように電子機器ＤＫは、アンテナエレメントである、左右一対の配線パターン６ａにより、左側の線分Ｌ２１ｈと右側の線分Ｌ２１ｍとにより形成される優角に対応した角度範囲ＡＲ１で特に良好なアンテナ感度をもつ。
従って、電子機器ＤＫは、機器の前方から後方へ至る広い角度範囲から入来する電波を良好に受信することができる。
また、電子機器ＤＫは、電波を、前方から後方へ至る広い角度範囲に良好に送信することができる。
また、電子機器ＤＫは、ディスクドライブユニット４のように、ケース２内の配置に制約がある金属筐体を有する電子ブロックを収容する場合でも、ケース２及び電子ブロックによる電波の遮蔽効果の低下を最小限に抑え、かつ前方および側方に対するアンテナ感度を良好に確保することができる。
無線部１は、ダイバ−シティにより一対のアンテナエレメント（配線パターン６ａ）の内の良好な方を優先的に選択する。
【００３５】
切り欠き５は、ケース２がアンテナ基板６における配線パターン６ａを覆うことのない（重なることのない）寸法で形成される。切り欠き５の奥行き方向の長さはλ／４以上、天地方向の長さはλ／６以上の寸法で形成されることが望ましい。
切り欠き５は、ケース２の強度及び、ケース２の内部に収容された電子ブロック４から出る不要輻射を遮断するため、なるべく小さく形成することが望ましい。
例えば、切り欠き５の奥行き方向の長さはλ／４で形成される。
切り欠き５の奥行き方向の長さはλ／４に限定されることなく、許容誤差範囲を含む。
許容誤差範囲は例えば電波の受信状況を測定し、実測から導くことができる。
図５に示すアンテナエレメントは、特定の方向に強い指向性を示すものではなく、広いエリアをカバーする指向性を有する。
電子機器ＤＫは上ケース２ａの天板２ａｔに設けた切り欠き８によって天地方向のアンテナ感度を確保する。
切り欠き８は、開口部１１ａ及び右側板２ａｍに寄せて、左右方向の長さλ／４以上、奥行き方向の長さλ／４以上の寸法で形成されている。上ケース２ａの天板２ａｔには、開口部１１ａ及び左側板２ａｈに寄せて切り欠き８と同様の切り欠きを設けても良い。
【００３６】
［アンテナ基板の取り付け］
図８は、図５に示すアンテナ基板６をフロントパネル１１およびケース２に取り付ける構造の一例を説明する図である。
【００３７】
この例では、フロントパネル１１の短辺の中央部に、アンテナ基板６の切り欠き６ｂ（図５参照）が嵌り込む凸部１１ｐが設けられている。
アンテナ基板６は凸部１１ｐに切り欠き６ｂを嵌め込んだ状態で、上下のケース２（上ケース２ａ、下ケース２ｂ）を組み合わせることによりケース２に固定されている。
アンテナ基板６は、ケース２の内側の面に密着するよう配置されるが、アンテナ基板６の少なくとも配線パターン６ａは、切り欠き５に対応した位置に配置されて露出している。
例えば基準面ＫＭとアンテナ基板６とが交わる位置にある場合、配線パターン６ａは基準面ＫＭよりも外側に位置し、基準面ＫＭが交わる位置が図５に示す仮想線分Ｐ１より後方（図５紙面右）に位置するように固定されることが望ましい。
配線パターン６ａの上下方向の位置は、配線パターン６ａの上端（図８に示す位置Ｑ１１）と下端（図８に示す位置Ｑ１２）の位置が切り欠き５の上端（図８に示す位置Ｒ１１）と下端（図８に示す位置Ｒ１２）の位置から離れるように配置されている。
図８に示す配線パターン６ａの上端と切り欠き５の上端との距離Ｈ１と配線パターン６ａの下端と切り欠き５の下端との距離Ｈ２がそれぞれ最も大きくなるように配置されることが望ましい。
【００３８】
アンテナ基板６はケース２の右側板２ａｍに設けられた孔（図示せず）及びアンテナ基板６に設けられた孔３６に雄ねじ４１を挿通し、雄ねじ４１に図示しないナットを螺合させることによりケース２に固定されている。
【００３９】
図９〜図１１は、図５に示すアンテナ基板６をケース２に取り付ける別の構造を説明する図である。
図９は、この別の構造でアンテナ基板６をケース２に取り付ける取り付け構造を示す。
図１０は、図９に示す取り付け構造を用いる場合の化粧側板１２の構造例を示す図である。
図１１は、図９に示す取り付け構造を用いる場合の化粧側板１２の別の構造例を示す図である。
【００４０】
図９に示す例では、アンテナ基板６は、ケース２における右側板２ａｍの外側の面に、雄ねじ４１により取り付けられている。
この場合、孔３６は雄ねじ４１が挿通される貫通孔として形成され、ケース２側に雌ねじが形成されている。
アンテナ基板６は、ケース２より外側に配置されている。
この構造例では、化粧側板１２、１３には、アンテナ基板６を収容する凹部１２ｈｋが設けられている。図１０及び図１１は、化粧側板１２の例を示しており、化粧側板１３も同様である。
化粧側板１２、１３の内面と右側板２ａｍとの間には、凹部１２ｈｋにより空間が形成される。
【００４１】
図１０に示す例では、化粧側板１２の外側の表面１２ａは平坦であり、内面側にアンテナ基板６を収容する空間Ｖ１が設けられている。
図１１に示す例では、アンテナ基板６を収容する空間Ｖ２に対応して、化粧側板１２の外側に突出する膨らみ部１２ｂが設けられている。
【００４２】
図１２は、図５に示すアンテナ基板６の更に別の取り付け構造を示す図である。
この構造では、アンテナ基板６が、ケース２ではなく、切り欠き５を覆う非金属部材としての化粧側板１２、１３に取り付けられている。図１２では化粧側板１３の例を示しており、化粧側板１２も同様である。
側板１２、１３には、アンテナ基板６を係止するためのフック４２が設けられている。
【００４３】
図１３は、図５に示すアンテナ基板６のさらに別の取り付け構造を示す図である。この構造では、アンテナ基板６が、その基板面をケース２の切り欠き５が設けられた右側板２ａｍの表面と直交するように取り付けられる。
すなわち、アンテナ基板６は、その基板面が天板１４の面と平行になるよう配置されている。具体例として、アンテナ基板６はフロントパネル１１にその内面から突出するよう設けられた取り付け具４３により取り付けられている。
例えば、図１に示すように、２つのアンテナ基板６がケース２の開口部３の両側に配置される場合には、その一方が、図１３に示す構造で取り付けられていてもよい。
この場合、２つのアンテナ基板６の基板面は互いに直交するので、入来する電波の偏波方向によらずに良好な受信を行うことができる。
また、偏波方向が互いに直交する電波を送信するので、受信者は、受信者側のアンテナの偏波方向によらず良好に受信をすることができる。
【００４４】
以上の説明では、ケース２の開口部３における左右方向の両側にそれぞれアンテナ基板６を配置するものとして説明したが、アンテナ基板６を開口部３の左右方向の一方側だけに配置することもできる。
また、ディスクドライブユニット４又はドア１５を電波の障害部材とした場合を例として説明したが、電波の障害部材はケース２の開口部３に配置されるものであれば、他の部材であってもよい。
【００４５】
上述したように、外部から挿抜されるディスクを駆動するディスクドライブユニット４を内蔵する電子機器では、ディスクドライブユニット４をケース２内のできるだけ前方に配置する必要がある。
本実施例では、このようなケース２内の機器の配置に制約がある場合でも、ケースによる電磁波の遮蔽効果の低下を最小限に抑え、かつ前方から後方に至る極めて広い角度範囲でアンテナ感度を確保することができる。
【００４６】
また、上記説明では、無線部１はケース２の内部に配置されているが、位置は限定されずケース２の外側に配置してもよい。
また、アンテナ基板６の配線パターン６ａはフォークヘンテナでなくてもよい。
【００４７】
[変形例]
アンテナ基板６を左右側板２ａｍ，２ａｈに直接固定せずに、基板ホルダを用いて固定する構造としてもよい。
図１４及び図１５は、上述した実施例のアンテナの配設構造における変形例で用いられるアンテナ基板６６と、アンテナ基板６６を保持した基板ホルダＫＨとを示している。図１５は模式図である。
【００４８】
アンテナ基板６６は、概ね長方形の板状に形成されており、アンテナエレメントとしてプリントされた配線パターン６６ａと、無線ＬＡＮで通信を可能とする通信モジュール部６６ｂと、アンテナ基板６６と外部との間での信号の授受を行うためのコネクタ部６６ｋと、を有している。
配線パターン６６ａは、プリント基板６６におけるその長手方向の一方の先端側に設けられている。
【００４９】
基板ホルダＫＨは、アンテナ基板６と略同じ外形寸法で形成されている。
基板ホルダＫＨは、樹脂で形成され、弾性を有する保持腕ＫＨ１とアンテナ基板６６に形成された孔６６ｃと係合するボスＫＨ２などとにより、ねじを使わずにアンテナ基板６６を保持する。
基板ホルダＫＨは、アンテナ基板６６の配線パターン６６ａが基板ホルダＫＨと重ならずに露出するようにアンテナ基板６６を保持する。
基板ホルダＫＨは、図１５における左右方向を長手とする板状に形成されている。
基板ホルダＫＨは、アンテナ基板６６を、アンテナ基板６６の長手方向が基板ホルダＫＨの長手方向と直交する姿勢で保持する。
基板ホルダＫＨの両短辺それぞれの中央には、スリットＫＨ３，ＫＨ４が形成されている。
【００５０】
アンテナエレメントとしての配線パターン６６ａは、無線ＬＡＮの波長に同調する長さになっており、例えば１／４λのモノポールアンテナを形成している。
【００５１】
図１６は、アンテナ配設構造の変形例を搭載した電子機器ＤＫの右前方部分において、化粧側板１２，天板１４，及び上ケース２ａを外した状態を示す斜視図である。図１６は、アンテナ基板６６を固定する雄ねじも外した状態を示している。
基板ホルダＫＨはスリットＫＨ３，ＫＨ４が、それぞれ下ケース２ｂの右フランジ２ｂｍに設けられた切起こし部２ｂｍ１とフロントパネル１１の図示しない突部に係合することにより位置決めされる。
【００５２】
図１７は、図１６に対して上ケース２ａを取り付けた状態を示している。
図１７に示すように、基板ホルダＫＨは雄ねじＳＣを、下ケース２ｂに設けられた雌ねじ２ｂｍｎに対して上ケース２ａと基板ホルダＫＨとを間に挟むように螺合させることで固定されている。
上ケース２ａには、右側板２ａにおける前方側に切り込み５が形成されている。変形例においても、アンテナ基板６６は、配線パターン６６ａが、上述した実施例と同様に基準面ＫＭよりも外側に位置するように取り付けられている。
例えば基準面ＫＭとアンテナ基板６６とが交わる位置にある場合、配線パターン６６ａは基準面ＫＭよりも外側に位置し、基準面ＫＭが交わる位置が図１２に示す仮想線分Ｐ２より後方（図１４紙面左）に位置するように固定されることが望ましい。
【００５３】
図１６及び図１７において、アンテナ基板６６は、配線パターン６６ａが基板ホルダＫＨに対して上方に露出するように保持されている。
具体的には、図１４に示されるように、配線パターン６６ａが基板ホルダＫＨにならずその外側に位置するように保持されている。
これにより、配線パターン６６ａの天地方向の位置は、電子機器ＤＫの天地方向の中央よりも上方側にある。
一般に、室内設置のＡＶ機器は、部屋の下方側に設置される場合が多いので、配線パターン６６ａの天地方向位置が電子機器ＤＫ内の上方側にあることで、地側よりも天側に良好な感度が得られ、室内設置の場合、送受信状況がより良好になる。
電子機器ＤＫにドア１５が設けられていても、天地方向のアンテナ感度にドア１５の影響を受けにくくなるので、配線パターン６６ａの天地方向位置が電子機器ＤＫ内の上方側にあることが好ましい。
【００５４】
図１８は電子機器ＤＫ内のディスクドライブユニット４の配置について説明する図である。ディスクドライブユニット４の筐体４ｋにおける前方側の端面４ｚｔ（図４参照）はフロントパネル１１に当接または近接した位置にある。
また、ディスクドライブユニット４の筐体４ｋにおける前方側の端面４ｚｔの左端辺４ｈｔおよび右端辺４ｍｔもフロントパネル１１に当接または近接した位置にある。
【００５５】
図１９は、電子機器ＤＫがディスクドライブユニット４を有する場合における配線パターン６６ａとディスクドライブユニット４との天地方向の位置関係を示す説明図である。
図１９において、配線パターン６６ａの一部はディスクドライブユニット４の天板４ｔより上方に位置している。
具体的には、配線パターン６６ａの最上端部はディスクドライブユニット４の筐体４ｋ
の天板４ｔより距離Ｈ３だけ上方に位置している。図１９のような配置とすることで、左右方向（図１９の紙面表裏方向）に良好なアンテナ感度を保つことができる。距離Ｈ３はできるだけ大きい方がよい。
【００５６】
図２０は、電子機器ＤＫがディスクドライブユニット４を有する場合における配線パターン６６ａとディスクドライブユニット４との天地方向のよりよい位置関係を示す説明図である。
図２０において、配線パターン６６ａの最下端部（例えば図１４で示す仮想線分Ｑ２の位置）はディスクドライブユニット４の天板４ｔより距離Ｈ４だけ上方に位置している。図２０のような配置とすることで、左右方向（図２０の紙面表裏方向）にさらに良好なアンテナ感度を保つことができる。距離Ｈ４はできるだけ大きいことが望ましい。
【００５７】
図２１は、電子機器ＤＫが金属のドア１５を有する場合における配線パターン６６ａとドア１５との天地方向の位置関係を示す説明図である。
図２１において、配線パターン６６ａの一部はドア１５の上端部１５ｔより上方に位置している。
具体的には、配線パターン６６ａの最上端部はドア１５の上端部１５ｔより距離Ｈ５だけ上方に位置している。図２１のような配置とすることで、ドア１５の存在によらず良好なアンテナ感度を保つことができる。距離Ｈ５はできるだけ大きい方がよい。
【００５８】
図２２は、電子機器ＤＫがドア１５を有する場合における配線パターン６６ａとドア１５との天地方向のよりよい位置関係を示す説明図である。
図２２において、配線パターン６６ａの最下端部はドア１５の上端部１５ｔより距離Ｈ６だけ上方に位置している。図２２のような配置とすることで、左右方向（図２２の紙面表裏方向）にさらに良好なアンテナ感度を保つことができる。距離Ｈ６はできるだけ大きいことが望ましい。
【００５９】
電子機器ＤＫがディスクドライブユニット４とドア１５との両方を備えている場合には、どちらか、より上方に位置する方の上端より上方に配線パターンを配置することが望ましい。
また、電子機器ＤＫにおいて、ディスクドライブユニット４又はドア１５が上方に偏って配置されている場合は、配線パターン６６ａをディスクドライブユニット４又はドア１５の下端より下方に配置してもよい。
【００６０】
実施例及びその変形例では、アンテナ基板６６におけるアンテナエレメントを配線パターン６６ａによって形成した例を説明したが、これに限らずチップアンテナなどを用いてもよい。その場合、配線パターン６６ａをチップアンテナに置き換えて、例えば、チップアンテナをディスクドライブユニット４やドア１５の上端よりも上方に配置されているとよい。
実施例及びその変形例では、アンテナがフロントパネル１１、化粧板１２、化粧板１３、天板１４に覆われているので、外観上もよい。
【００６１】
実施例及びその変形例では、無線部は、通信の送受信の双方を行うものとして説明したが、送受信の双方を行うものに限らない。送信と受信のいずれか一方のみであってもよい。
実施例及びその変形例では、アンテナ基板は、左右一対に設けたが、左右どちらか片方であってもよい。アンテナ基板を左右二対以上設けてもよい。
【００６２】
以上の説明では、方向を示すために「前」、「後」、「左」、「右」、「天」および「地」という語を用いたが、これらは実際の機器における特定の方向を示すものではなく、単に説明のために用いたものである。
【産業上の利用可能性】
【００６３】
本発明は、任意の電子機器に利用することができる。
【符号の説明】
【００６４】
１  無線部
２  ケース
２ａ  上ケース
２ａｔ  天板
２ａｍ  右側板
２ａｈ  左側板
２ｂ  下ケース
２ｂｂ  底板
２ｂｍ  右フランジ
２ｂｍ１  切起こし部
２ｂｍｎ  雌ねじ
２ｂｈ  左フランジ
２ｂｓ  背板
３  開口部
４  ディスクドライブユニット
４ａ  挿入口
４ｈｔ  左端部
４ｋ  筐体
４ｍｔ  右端部
４ｔ  天板
４ｚｔ  端面
５  切り欠き
６，６６  アンテナ基板
６ａ，６６ａ  配線パターン
６ｂ  切り欠き
７  端辺
１１  フロントパネル
１１ａ  開口部
１１ｐ  凸部
１２，１３  化粧側板
１２ｂ  膨らみ部
１２ｈｋ  凹部
１４  天板
１５  ドア
１５ｈｔ  左端部
１５ｍｔ  右端部
１５ｔ  上端部
１６  アンテナ部
２３  （ケース２の）中心
３１，３２  平行配線
３３  端部配線
３４  給電配線
３５  接続端子
３６  孔
４１，ＳＣ  雄ねじ
４２  フック
４３  取り付け具
６６ｂ  通信モジュール部
６６ｃ  孔
６６ｋ  コネクタ部
ＫＨ  基板ホルダ
ＫＨ１  保持腕
ＫＨ２  ボス
ＫＨ３，ＫＨ４  スリット
ＫＭ  基準面
ＤＫ  電子機器
Ｖ１，Ｖ２  空間
【図１】
0005691621.tif 000002
【図２】
0005691621.tif 000003
【図３】
0005691621.tif 000004
【図４】
0005691621.tif 000005
【図５】
0005691621.tif 000006
【図６】
0005691621.tif 000007
【図７】
0005691621.tif 000008
【図８】
0005691621.tif 000009
【図９】
0005691621.tif 000010
【図１０】
0005691621.tif 000011
【図１１】
0005691621.tif 000012
【図１２】
0005691621.tif 000013
【図１３】
0005691621.tif 000014
【図１４】
0005691621.tif 000015
【図１５】
0005691621.tif 000016
【図１６】
0005691621.tif 000017
【図１７】
0005691621.tif 000018
【図１８】
0005691621.tif 000019
【図１９】
0005691621.tif 000020
【図２０】
0005691621.tif 000021
【図２１】
0005691621.tif 000022
【図２２】
0005691621.tif 000023